(57)【要約】【課題】トラック等の積荷に掛けて引締めるのに適用し得る荷締め用ロープ保持具を提供する。【解決手段】略Ｕ字状に形成されたロープチャンネル１の開口した片端部に、ロープをクランプするための爪２を設けたアーム３を回動自在に支持した支持軸４の片端部が蝶番５状に支持され、支持軸４の別端部は前記ロープチャンネル１の開口した別端部に設けた切抜き穴６に嵌入してストッパー６で止めるように構成されたロープ保持具において、前記ロープをクランプするための爪２とは反対側のアーム３の後端部に、ロープを着脱自在に掛けて引張れるように引張掛具１０を設けた荷締め用ロープ保持具であり、引張掛具１０はＵ字状の溝８ａを有するローラー８を軸９で回転自在に軸支してなる。【選択図】図１
0003124462.tif 000002
【実用新案登録請求の範囲】
【請求項１】
略Ｕ字状に形成されたロープチャンネルの開口した片端部に、ロープをクランプするための爪を設けたアームを回動自在に支持した支持軸の片端部が蝶番状に支持され、支持軸の別端部は前記ロープチャンネルの開口した別端部に設けた切抜き穴に嵌入して止めるように構成されたロープ保持具において、前記ロープをクランプするための爪とは反対側のアームの後端部に、ロープを着脱自在に掛けて引張れるように引張掛具を設けてなることを特徴とする荷締め用ロープ保持具。
【請求項２】
ロープを着脱自在に掛けて引張れるようにした引張掛具が、Ｕ字状の溝を有するローラーを回転自在に軸支してなるものであることを特徴とする請求項１記載の荷締め用ロープ保持具。
【請求項３】
ロープを着脱自在に掛けて引張れるようにした引張掛具が、Ｕ字状の溝を有するローラーであって、ロープの引張方向へは回転自在にし、逆方向へはストップされるような構成にしてなることを特徴とする請求項１又は請求項２記載の荷締め用ロープ保持具。
【考案の詳細な説明】
【技術分野】
【０００１】
本考案は、トラック等の積荷にロープを掛けて引き締めるのに使用するようにした荷締め用ロープ保持具に関するものである。
【背景技術】
【０００２】
トラック等の積荷にロープを掛けて引き締めるのに、図５に示すようにロープ１４を二つ折りにして、その首部を巻き締めるようにした巻締め部Ａと、その下方に掛け輪Ｂを作り、該掛け輪にロープの引張端部Ｃを、荷台の引掛金具１５に掛けて通し、引張るようにしたロープのみで行なうやり方が従来行なわれてきた。このやり方は、ロープの巻締め部Ａが、ロープの引張端部Ｃを引張って積荷を引き締める時や、運搬中にほどけやすいといった欠点を有するほか、巻締め部Ａと掛け輪Ｂの高さ位置が適切でなかったりして、巻締め部Ａをほどいてやり直すことが多く、甚だ面倒であること、及びロープ同士が擦れ合って摩耗しやすい。
【０００３】
又、ビルの建設現場等において、作業者が昇降する場合、その安全確保のため、作業者の腰部に巻付けた高所作業用安全帯の環体にロープを接続し、そのロープ先端に接続されたスライドチャックやロープチャック等のロープ保持具を昇降路に沿って垂れ下がる親綱に装着し、作業者が万一足を踏み外した場合に、そのロープ保持具により親綱を挟持して作業者の墜落を防止するようにしたものは公知である（例えば特許文献１、特許文献２参照）。
【０００４】
【特許文献１】特開２００１−２９４９４号公報
【特許文献２】特開２００１−２５２３６４号公報
【考案の開示】
【考案が解決しようとする課題】
【０００５】
しかしながら、上記特許文献１、特許文献２に記載される技術は、昇降路に沿って垂れ下がる親綱に装着し、作業者が万一足を踏み外した場合に、そのロープ保持具により親綱を挟持して作業者の墜落を防止するようにしたものであり、トラック等の積荷に掛けて引き締めるのには適用し難い問題点がある。
本考案は、トラック等の積荷に掛けて引き締めるのに適用すべく、上記特許文献１、特許文献２に記載された技術を改造してトラック等の積荷に掛けて引き締めるのに適用し得る新規な荷締め用ロープ保持具を提供することを目的とし、該目的を達成することを課題とするものである。
【課題を解決するための手段】
【０００６】
上記目的を達成するために、本考案は以下に記載するような手段を講じた。すなわち、（１）略Ｕ字状に形成されたロープチャンネルの開口した片端部に、ロープをクランプするための爪を設けたアームを回動自在に支持した支持軸の片端部が蝶番状に支持され、支持軸の別端部は前記ロープチャンネルの開口した別端部に設けた切抜き穴に嵌入して止めるように構成されたロープ保持具において、前記ロープをクランプするための爪とは反対側のアームの後端部に、ロープを着脱自在に掛けて引張れるように引張掛具を設けてなることを特徴とする荷締め用ロープ保持具である。引張掛具にロープを掛けて引張ることにより、アームが回動し、アームに設けた爪とロープチャンネルの略Ｕ字状のガイド溝でロープがクランプされると同時に、トラック等の荷台のロープ引掛金具とロープチャンネルが引き寄せられて積荷等の荷締めが行なえる。
【０００７】
（２）ロープを着脱自在に掛けて引張れるようにした引張掛具が、Ｕ字状の溝を有するローラーを回転自在に軸支してなるものであることを特徴とする前項（１）記載の荷締め用ロープ保持具である。引張掛具が、Ｕ字状の溝を有するローラーを回転自在に軸支したものにすることにより、ロープを着脱自在に掛けてスムーズに引張るのに好適であり、且つロープが擦れずロープの耐久性を維持するのに好ましい。
【０００８】
（３）ロープを着脱自在に掛けて引張れるようにした引張掛具が、Ｕ字状の溝を有するローラーであって、ロープの引張方向へは回転自在にし、逆方向へはストップされるような構成にしてなることを特徴とする前項（１）又は（２）記載の荷締め用ロープ保持具である。軸支したローラーを引張方向には回転自在にし、逆の方向へはストップされるような構成にすることにより、引張ったロープが引き戻されることなく荷締めが行なえる。
【考案の効果】
【０００９】
上記手段にて記載するように本考案によれば、トラック等の積荷にロープを掛けて引き締めるのに好適な荷締め用ロープ保持具を得ることができると共に、従来のロープのみの場合のように引き締め時や運搬中にロープの巻締め部がほどけるおそれがない。
【００１０】
又、ロープを引張掛具からロープを外すだけで、ロープのクランプはフリーとなり、任意にロープチャンネルの位置が変えられるから、従来のロープのみの場合のように位置が適切でなく巻締め部をほどいてやり直すといった面倒なやり直し作業をなくすることができること、及び引張って締めるのにロープ同士が擦れずロープの耐久性の維持を図るのに効果がある。
【考案を実施するための最良の形態】
【００１１】
本考案を実施するための最良の形態は、略Ｕ字状に形成されたロープチャンネルの開口した片端部に、ロープをクランプするための爪を設けたアームを回動自在に支持した支持軸の片端部が蝶番状に支持され、支持軸の別端部は前記ロープチャンネルの開口した別端部に設けた切抜き穴に嵌入して止めるように構成されたロープ保持具にして、前記ロープをクランプするための爪とは反対側のアームの後端部に、ロープを着脱自在に掛けて引張れるようにＵ字状の溝を有するローラーを回転自在に軸支した引張掛具を設けてなる形態である。以下実施例にて図面を参照して説明する。
【実施例１】
【００１２】
図１は、本考案の実施例を示す斜視図である。図示するように本考案は、略Ｕ字状に形成されたロープチャンネル１の開口した片端部に、ロープをクランプするための爪２，…を設けたアーム３を回動自在に支持した支持軸４の片端部が蝶番５状に支持され、支持軸４の別端部は前記ロープチャンネル１の開口した別端部に設けた切抜き穴６に嵌入してストッパー７で止めるように構成されたロープ保持具にしてあり、前記ロープをクランプするための爪２，…とは反対側のアーム３の後端部にロープを着脱自在に掛けて引張れるようにＵ字状の溝をするローラー８を回転自在に軸９で軸支した引張掛具１０が設けてある。
【００１３】
ロールチャンネル１は、金属板材を略Ｕ字状に曲げてガイド溝１ａが形成され、開口した両端部は丸くカールされて円筒部１ｂ，１ｃが形成されており、該円筒部の中間部が切抜かれて、片側の円筒部１ｂの切抜き穴には支持軸４の片端部が、円筒部１ｂの筒穴に軸１１を挿通させて連結されることにより蝶番５状に支持され、別側の円筒部１ｃの切抜き穴６は、円筒部１ｃの筒内に挿入されたストッパー７の昇降により開閉され、ストッパー７を昇降させるためのレバー７ａが設けてある。
【００１４】
ロープをクランプするための爪を設けたアーム３は、中心部のアーム３の側部に爪２，…を有する複数の側板３ａ，３ａ，３ｂ，３ｂを当てて止め軸１２，１２で固定され、多数の爪２，…でロープが安定した状態でクランプされるように形成されて、前記支持軸４に挿入し、ストップリング１３で止めて回動自在に軸支されるようにしてあり、支持軸４の延出した別端部は、前記切抜き穴６に嵌入させてストッパー７により止められるようにしてある。
【００１５】
ロープをクランプするための爪２，…とは反対側のアーム３の後端部には、ロープを着脱自在に掛けて引張れるように引張掛具１０が設けてあり、該引張掛具は、ロープが外れないように略Ｕ字状の溝８ａを有するローラー８を、延出させたアームの後端部をコ字状に曲げて軸９により回転自在に軸支してある。
【００１６】
図２は、以上のようにしてなる本考案によりロープの引締め例の要部断面図である。ロープ１４を、ロープチャンネル１のガイド溝１ａに通し、蝶番５状に支持された支持軸４の別端部は、前記図１にて図示された切抜き穴６に嵌入して止められた状態で、ロープ１４をトラック等の荷台に設けられた引掛金具１５に引掛けて、アーム３の後端部に軸９により回転自在に支持されて設けられたローラー８の溝８ａにロープ１４が嵌め込んで引掛け、ロープ１４の端部を矢印Ｐ方向に引張ることによりローラー８が回転すると共に、アーム３に支持軸４を支点とするＱ方向の回転モーメントがかかり、爪２，…でロープ１４がロープチャンネル１のガイド溝１ａに押付けられてクランプされた状態となり、クランプされた状態で引続き矢印Ｐ方向に引張ることにより、引掛金具１５との間が縮まって荷締めされることになる。
【００１７】
爪２によるロープ１４のクランプは、ロープ１４をローラー８から外すことにより、アーム３がフリーとなり、矢印Ｑ方向とは逆方向にアーム３の後端部を上げれば、クランプが解けてロープ１４のガイド溝１ａの通過はフリーとなり、爪２，…によるクランプの位置は、任意にして且つ迅速に行なうことができる。又、支持軸４の別端部を、ストッパー７を上げて切抜き穴６から外すことによりロープチャンネル１の開口部が開き、ロープ１４の着脱は容易となる。
【００１８】
図３は、前記ローラー８をロープ１４の引張方向へは回転自在とし、逆方向へはストップされるような引張掛具の実施形態を示す要部断面図である。アーム３の後端部に軸９で回転自在に軸支したローラー８は、ローラー８の側面に固定されたラチェットホイル１６の爪歯に、ラチェット１７の爪先が捩りバネ１８で押え付けられて係合するようにラチェット１７の一端がピン１９により支持されていて、ロープ１４の矢印Ｐ方向への引張りにおいてはローラー８はラチェットホイル１６の爪はの緩やかな傾斜に沿ってラチェット１７の爪先が押上げられることにより回転自在となり、逆方向への回転はラチェット１７の爪先がラチェットホイル１６の爪歯にく込むようにしてストップされるような構成にしてある。
【００１９】
そして、上記ローラー８をロープ１４の引張り方向（矢印Ｐ）へは回転自在になるようにし、逆方向へはストップされるように構成されることにより、ロープ１４を引張って荷締めを行なうに際し、引張った後に引き戻されることなくスムーズに行なうことができる。
【００２０】
図４は、ストッパー７の昇降部の要部断面図である。ストッパー７は、ロープチャンネル１の開口した端部をカールさせて形成された円筒部１ｃの筒内に挿入され、ストッパー７の上端部に取付けられたレバー７ａにより昇降させて、切抜き穴６を開閉させるようにしてある。ストッパー７の上端にはバネ２０を介在させてキャップ２１で止めてあり、常時はバネ２０で押えられて切抜き穴６はストッパー７で閉じられた状態となっており、閉じた状態で支持軸の別端部（蝶番状の支持部とは別側）が止められるようにしてある。
【図面の簡単な説明】
【００２１】
【図１】本考案の実施例を示す斜視図である。
【図２】本考案によるロープの引締め例を示す要部断面図である。
【図３】引張掛具の他の実施形態を示す要部断面図である。
【図４】ストッパーの昇降部の要部断面図である。
【図５】従来のロープのみの荷締め例を示す斜視図である。
【符号の説明】
【００２２】
１  ロープチャンネル
１ａ  ガイド溝
１ｂ，１ｃ  円筒部
２  爪
３  アーム
３ａ，３ｂ  添板
４  支持軸
５  蝶番
６  切抜き穴
７  ストッパー
７ａ  レバー
８  ローラー
８ａ  溝
９，１１  軸
１０  引張掛具
１２  止め軸
１３  ストップリング
１４  ロープ
１５  引掛金具
１６  ラチェットホイル
１７  ラチェット
１８  捩りバネ
１９  ピン
２０  バネ
２１  キャップ
【図１】
0003124462.tif 000003
【図２】
0003124462.tif 000004
【図３】
0003124462.tif 000005
【図４】
0003124462.tif 000006
【図５】
0003124462.tif 000007